(57)【要約】  種々の実施形態において、手術用コンソールは、垂直方向にオフセットされた(例えば、電界効果型センサもしくは容量型センサなどの)複数のセンサ帯片式センサを備えたセンサ帯片であって、該手術用コンソールに対する患者の眼球の垂直高に対応するユーザからの入力を受信すべく構成される、というセンサ帯片を含み得る。上記手術用コンソールは、上記センサ帯片からの上記入力を用いて手術用コンソールコンポーネントに対する患者眼高(PEL)を決定してから、眼球処置の間における潅流の供給源もしくは吸引の供給源の少なくとも一方の動作を制御する上で、上記患者眼高(PEL)および上記少なくとも一つのコンポーネントを使用し得る。上記手術用コンソールは更に、上記複数のセンサ帯片式センサの内の少なくとも２つに関連付けて位置決めされた複数の視覚的表示器であって、接触入力を検出している一つのセンサに対応して点灯されるべく構成された複数の視覚的表示器を含み得る。【選択図】図２ａ
2013523347.tif 000002
【特許請求の範囲】
【請求項１】
手術用コンソールであって、
眼球処置の間に使用されるべく構成された少なくとも一つのコンポーネントと、
複数のセンサ帯片式センサを備えるセンサ帯片であって、前記複数のセンサ帯片式センサの内の少なくとも２つは垂直方向にオフセットされ、前記センサ帯片は、ユーザから前記センサ帯片を介し、前記手術用コンソールに対する患者の眼球の垂直高に対応する入力を受信すべく構成される、というセンサ帯片とを備え、
前記手術用コンソールは、前記入力を使用し、前記少なくとも一つのコンポーネントに対する患者眼高(PEL)を決定すべく構成され、
前記手術用コンソールは、眼球手術処置の間における潅流の供給源もしくは吸引の供給源の少なくとも一方の動作を制御する上で、前記患者眼高(PEL)および前記少なくとも一つのコンポーネントを使用すべく構成される、
手術用コンソール。
【請求項２】
前記センサ帯片式センサは、電界効果型スィッチ・センサまたは容量型センサを備える、請求項１に記載の手術用コンソール。
【請求項３】
前記患者眼高(PEL)は、患者の眼球と、地面／床面に対して平行なラインであって、前記手術用コンソールの前記少なくとも一つのコンポーネントと交差するというラインとの間の垂直距離である、請求項１に記載の手術用コンソール。
【請求項４】
前記手術用コンソールは、複数の視覚的表示器を更に備え、
前記複数の視覚的表示器の内の少なくとも２つは、前記複数のセンサ帯片式センサの内の少なくとも２つに関連付けて位置決めされる、請求項１に記載の手術用コンソール。
【請求項５】
前記手術用コンソールは、接触入力を検出している一つのセンサに対応する前記複数の視覚的表示器の内の少なくとも一つの視覚的表示器を点灯すべく構成される、請求項４に記載の手術用コンソール。
【請求項６】
前記手術用コンソールの前記コンポーネントは、吸引圧力検知器である、請求項１に記載の手術用コンソール。
【請求項７】
前記センサ帯片式センサは、前記手術用コンソール上で曲線に沿い配置される、請求項１に記載の手術用コンソール。
【請求項８】
前記患者眼高(PEL)は前記手術用コンソールにより使用されることで吸引ポンプ速度を制御し、動作吸引圧力を増大／減少して所望範囲内とする、請求項１に記載の手術用コンソール。
【請求項９】
前記患者眼高(PEL)は前記手術用コンソールにより使用されることで潅流ボトルを上昇／下降させることで、前記手術用コンソールに連結されたハンドピースを介して提供される潅流圧力を増大／減少して所望範囲内とする、請求項１に記載の手術用コンソール。
【請求項１０】
ユーザから受信した前記センサ帯片の入力に対応する前記垂直高において水平光線を投射すべく構成された光源を更に備える、請求項１に記載の手術用コンソール。
【請求項１１】
手術用コンソールであって、
吸引ポンプと、
前記吸引ポンプに対して連結されたライン内の吸引圧力を検出すべく構成された吸引検知器と、
複数の電界効果型スィッチ・センサもしくは容量型センサを備えるセンサ帯片であって、前記複数のセンサの内の少なくとも２つは垂直方向にオフセットされ、前記センサ帯片は、ユーザから前記センサ帯片を介し、前記手術用コンソールに対する患者の眼球の垂直高に対応する入力を受信すべく構成される、というセンサ帯片と、
複数の視覚的表示器であって、前記複数の視覚的表示器の内の少なくとも２つは、前記複数のセンサ帯片式センサの内の少なくとも２つに関連付けて位置決めされ、前記手術用コンソールは、ユーザ入力を検出している一つのセンサ帯片式センサに対応する前記複数の視覚的表示器の内の少なくとも一つの視覚的表示器を点灯すべく構成される、という複数の視覚的表示器とを備え、
前記手術用コンソールは、前記入力を使用し、前記手術用コンソールの前記吸引検知器に対する患者眼高(PEL)を決定すべく構成され、
前記手術用コンソールは、前記患者眼高(PEL)と前記吸引検知器からの情報とを使用して前記吸引ポンプの動作を制御することで、前記手術用コンソールに対して連結されたハンドピースを介し、患者の眼球における所望の吸引圧力を実現する、
手術用コンソール。
【請求項１２】
前記患者眼高(PEL)は、患者の眼球と、地面／床面に対して平行なラインであって、前記手術用コンソールの前記少なくとも一つのコンポーネントと交差するというラインとの間の垂直距離である、請求項１１に記載の手術用コンソール。
【請求項１３】
前記視覚的表示器は前記センサ帯片式センサと夫々重なり合う、請求項１１に記載の手術用コンソール。
【請求項１４】
前記センサ帯片式センサおよび前記視覚的表示器は、前記手術用コンソール上で曲線に沿い配置される、請求項１１に記載の手術用コンソール。
【請求項１５】
前記患者眼高(PEL)は前記手術用コンソールにより更に使用されることで潅流ボトルを上昇／下降させることで、前記手術用コンソールに連結されたハンドピースを介して提供される潅流圧力を増大／減少して所望範囲内とする、請求項１１に記載の手術用コンソール。
【請求項１６】
ユーザから受信した前記センサ帯片の入力に対応する前記垂直高において水平光線を投射すべく構成された光源を更に備える、請求項１１に記載の手術用コンソール。
【発明の詳細な説明】
【技術分野】
【０００１】
本出願は、発明者がジョーン・クーンツ、デビッド・トォー、および、ミハイル・ブケニィであると共に2010年4月8日に出願されて“患者眼高の接触制御”と称された米国仮特許出願第61/321,998号の優先権の利益を主張するものであり、該出願は、本明細書において十分に且つ完全に示された如く、その全体が言及したことにより本明細書中に援用される。
【０００２】
本発明は概略的に、手術用コンソール(surgical console)に関する。更に詳細には、限定的なものとしてでなく、本発明は、手術用コンソールのための患者眼高(patient eye level)の決定に関する。
【背景技術】
【０００３】
人間の眼球は、その最も単純な表現にて、角膜と称される透明な外側部分に光を透過させると共に、水晶体により網膜上に結像を焦点合わせすることにより、視覚を提供すべく機能する。焦点合わせされる結像の品質は、眼球のサイズおよび形状、角膜および水晶体の透明性などの多くの要因に依存する。眼球に対して実施される種々の手術処置は、眼球に対して供与されつつある流体の圧力を正確に制御する必要があり得る。患者の眼球の上方(または下方)における検知器もしくは流体供給源の高さは、圧力測定に対し、および／または、流体供給源から眼球に対して供与されつつある流体の圧力に対して影響することがある。
【発明の概要】
【発明が解決しようとする課題】
【０００４】
現在の手術システムによると、ユーザは、例えば吸引検知器とユーザの眼球との間の距離を推定し、そのデータをコンソールにタイプ入力する必要があり得る。
【課題を解決するための手段】
【０００５】
種々の実施形態において、手術用コンソールは、垂直方向にオフセットされた(例えば、電界効果型センサもしくは容量型センサなどの)複数のセンサ帯片式センサを備えたセンサ帯片であって、当該手術用コンソールに対する患者の眼球の垂直高に対応するユーザからの入力を受信すべく構成される、というセンサ帯片を含み得る。該手術用コンソールは更に、眼球処置の間に使用されるべく構成された(例えば吸引検知器などの)少なくとも一つのコンポーネントを含み得る。幾つかの実施形態において、上記手術用コンソールは、上記センサ帯片からの上記入力を用いて上記少なくとも一つのコンポーネントに対する患者眼高(PEL)を決定してから、例えば、眼球処置の間における潅流もしくは吸引を制御する上で、上記PELおよび上記少なくとも一つのコンポーネントを使用し得る。幾つかの実施形態において、上記PELは、患者の眼球と、地面／床面に対して平行なラインであって、上記手術用コンソールの上記少なくとも一つのコンポーネントと交差するというラインとの間の垂直距離であり得る。上記手術用コンソールは更に、上記各センサ帯片式センサに関連付けて位置決めされた複数の視覚的表示器であって、検出された接触入力に応じて点灯されるべきであるという複数の視覚的表示器を含み得る。幾つかの実施形態において、上記各センサ帯片式センサおよび／または各視覚的表示器は、上記手術用コンソール上で曲線に沿い配置され得る。幾つかの実施形態において、上記手術用コンソールは、ユーザから受信した上記センサ帯片の入力に対応する上記垂直高において水平光線を投射すべく構成された光源を更に含み得る。幾つかの実施形態において、上記PELは上記手術用コンソールにより使用されることで吸引ポンプ速度を制御し、動作吸引圧力を増大／減少して所望範囲内とし得る。別の例として、上記PELは上記手術用コンソールにより使用されることで潅流ボトルを上昇／下降させることで、潅流圧力を増大／減少して所望範囲内とし得る。
【０００６】
本発明の更に完全な理解のために、添付図面と併せて以下の説明が参照される。
【図面の簡単な説明】
【０００７】
【図１】一実施形態に係る、手術用コンポーネントに対する患者眼高(PEL)を示す図である。
【図２ａ】一実施形態に係る、センサ帯片に対するPELのブロック図である。
【図２ｂ】一実施形態に係る、センサ帯片および可視ライン投射デバイスのブロック図である。
【図３】一実施形態に係る、組込み式の発光ダイオード(LED)を備えるセンサ帯片のブロック図である。
【図４ａ】一実施形態に係る、上記センサ帯片を使用して垂直高を入力しつつあるユーザを示す図である。
【図４ｂ】一実施形態に係る、上記センサ帯片を使用して垂直高を入力しつつあるユーザを示す図である。
【図５】一実施形態に係る、手術用コンソール上のセンサ帯片を示す図である。
【図６】一実施形態に係る、上記センサ帯片を使用して垂直高を入力するフローチャートである。
【図７】一実施形態に係る、センサ帯片とプロセッサとを備えたコンソールを示す図である。
【発明を実施するための形態】
【０００８】
上述の概略的な説明および以下の詳細な説明はいずれも例示的であり且つ説明的であるにすぎず、権利請求された本発明の更なる説明の提供が意図されることを理解すべきである。
【０００９】
図１は、(例えば吸引検知器105などの)手術用コンポーネントに対する患者眼高(PEL)103の実施形態を示している。PEL103は、患者109が手術台201(図２ａおよび図２ｂ)上に横臥しているときにおける吸引検知器105と患者の眼球123との間の垂直高であり得る。図１に見られる如く、“垂直高”とは、患者の眼球123と、地面／床面に対して平行なラインであって、吸引検知器105と交差するというラインとの間の垂直距離(例えば、センチメートル単位)を包含し得る。本明細書中に示される幾つかの実施形態は、上記PELを、患者の眼球123と吸引検知器105との間の垂直高として記述しているが、上記PELは、患者の眼球123と、手術用コンソール107の異なる手術用コンポーネント(例えば、潅流検知器、潅流ボトル111など)もしくは別の基準点(例えば地面など)との間とされても良いことを理解すべきである。幾つかの実施形態においてPEL103は手術用コンソール107により、例えば、患者の眼球123における吸引もしくは潅流の圧力を決定する上で使用され得る。例えば吸引ポンプ121は、コンソール107に対してハンドピース119を連結する流体ラインを通して、該ハンドピース119に対して吸引を提供し得る。幾つかの実施形態において手術用コンソール107は、上記PELと組み合わせて、(その流体ライン上における)吸引検知器105の検知器読取値を用いて(例えばハンドピース119の先端にて)患者の眼球123における概略的な吸引圧力を決定し得る。上記PELはまた、潅流圧力を決定する上でも使用され得る。例えば、潅流圧力はPELが高いほど増大し得る(例えば、(患者の眼球123に対する)ボトル高が大きいほど、ボトル111から患者の眼球123に進入する潅流流体の圧力は大きい)。手術用コンソール107は、上記圧力情報を使用することで、潅流もしくは吸引の供給源を制御(例えば、吸引ポンプ速度、潅流ボトル高さ101などを制御)し得る。
【００１０】
図２ａは、センサ帯片207に対するPEL103の実施形態のブロック図を示している。幾つかの実施形態においてユーザ(例えば、医師、看護師など)は、患者の眼球123の高さに対応する垂直高にて、手術用コンソール107上のセンサ帯片207に(例えば指213もしくはスタイラスにより)接触し得る。例えばユーザは、当該点と患者の眼球123とを通り延在する直線が地面／床面と平行である如き点にて、センサ帯片207に接触し得る。センサ帯片207は、該センサ帯片207の(センサ205の如き)一つのセンサが接触を検出したときに、該センサ帯片式センサの箇所がPEL103を決定すべく使用され得る如く、(例えば垂直方向に離間された)複数のセンサを含み得る。例えば、各センサと吸引検知器105との間の垂直高はメモリ1003(図７を参照)内のテーブルに記憶されることで、接触された上記センサに基づく垂直高の検索が可能とされ得る。別の例として、上記PELをセンサ箇所に関連付ける方程式が使用され得る((例えばセンサ高さなどの)センサ箇所が上記方程式に対する入力値であり、上記PELが出力値であり得る)。幾つかの実施形態において、PEL値は、一つのセンサが接触を検出したときに、対応するPELがセンサ帯片により自動的に、例えばコンソール107上のコントローラに対して送信される如く、上記センサ帯片により記憶されても良い。各センサからの入力に基づき、他のPEL決定方法も可能である。更に、センサ帯片207は手術用コンソール107の前側上に示されるが、センサ帯片207の他の箇所(例えば、手術用コンソールの側部上など)も企図される。
【００１１】
幾つかの実施形態においては、受信された接触入力の視覚的表示をユーザに対して提供するために、発光ダイオード(LED)203もしくは他の視覚的表示器が使用され得る(例えば、LED203は、ユーザがセンサ205に接触するときに点灯しても良い)。上記視覚的表示は、(意図された患者の眼球の垂直高に対応する)正しいセンサ帯片式センサが接触されたか否かをユーザが決定する上で支援を行い得る。幾つかの実施形態においては、図２ｂに見られる如く、例えば(低強度レーザの如き)一列の複数の光源、もしくは、一つの可動光源などを備えた可視ライン投射デバイス209が、接触されたセンサ205の高さに対応する水平光線211を投射し得る。幾つかの実施形態において、手術用コンソール107は、接触されたセンサ帯片式センサの高さに対応する光源を点灯(または、上記可動光源を移動)し得る。ユーザは、投射された光線211の箇所に基づき、正しいセンサ帯片式センサが接触されたか否かを決定し得る。例えば、光線211は患者の眼球123と整列することで、センサ帯片207上に正しい高さが表示されたことを表し得る。幾つかの実施形態において上記光源は、(例えば低強度のレーザなどの)低強度の光源とされることで、患者の眼球123の損傷を阻止し得る。別の例として、上記光源は、反射器により囲繞された(例えば高出力LEDなどの)一つのLEDを含んでも良い。
【００１２】
図３は、組み込まれた複数のセンサ305および複数のLED303を備えたセンサ帯片207の実施形態のブロック図を示している。幾つかの実施形態において各センサ305は、接触に感応的である(例えば電界効果型もしくは容量型センサなどの)センサ305を含み得る。各センサ305は、デジタル式の論理レベル・スィッチ出力を生成し得る(例えば、低インピーダンスの電気力学的な電界効果技術を使用する)Touchcell（登録商標）センサの如き電界効果型スィッチ・センサとされ得る。上記電界効果型スィッチ・センサは、電界を生成し得ると共に、(人間の指の如き)導電性質量が電界に進入したときに該電界の変化を検出し得る。他のセンサ形式も意図される。例えば、(ユーザの指の相対的箇所を検出する)抵抗センサ、(例えば垂直な配列の複数のボタンなどの)ボタン、もしくは、赤外式の動作検出器／カメラが使用され得る。幾つかの実施形態においては、(ユーザにより移動されて患者の眼球123と整列され得る垂直摺動要素を備えた)機械的なスライダが使用され得る。例えば、吸引検知器105に対する患者の眼球123の垂直高を示すユーザ入力を受信すべく、他のセンサ帯片式センサも使用され得る。図３に見られる如く、各LED303は、夫々のセンサ305に重なり合い得ると共に、それらの対応するセンサ帯片式センサが接触されたときに点灯され得る。各LEDに対する他の箇所も企図される(例えば、図２ａおよび図２ｂに示された如く、センサ帯片と隣接される)。
【００１３】
図４ａおよび図４ｂは、センサ帯片207を使用して垂直高を入力する実施形態を示している。図４ａおよび図４ｂに見られる如く、センサ帯片207は、傾斜される、湾曲される、などの構成を含み得る。幾つかの実施形態においては、センサ帯片207が種々の構成を取り得る(例えば、センサ帯片207は、手術用コンソール107の輪郭形状に追随すべく湾曲し得る)如く、センサ帯片207上の個々のセンサと吸引検知器105との間の距離(例えば、相対的な垂直高)が記憶され得る。個々のセンサ帯片式センサに対する“垂直高”とは、個々のセンサ帯片式センサと、地面／床面に対して平行なラインであって、例えば吸引検知器105と交差するというラインとの間の垂直距離を包含し得る。“高さ”の他の構成も企図される。例えば、上記PELは(例えば、吸引検知器205および患者の眼球を通り延在するラインなどの)傾斜ラインに沿う点とされ得ると共に、該傾斜ラインによるPELに基づく計算は、(垂直なPELとは対照的に)該傾斜ライン上のPELの箇所を考慮すべく構成され得る。
【００１４】
幾つかの実施形態において、センサ帯片207は、各センサ帯片式センサの全体に亙る(図４ａに示された連続的な凹所の如き)連続的な摺動用の特定構造を含むことで、高さ選択の間においてユーザが各センサ帯片式センサ上に自身の指を摺動させることが助力され得る。(例えば、図４ａと図４ｂとの間において)ユーザが自身の指を摺動させるにつれ、接触されたセンサ帯片式センサに関連付けられたLEDは点灯することで、その接触を検出している現在のセンサ帯片式センサをユーザに対して表示し得る。図５は、手術用コンソール上におけるセンサ帯片207の別の実施形態を示している。各センサ帯片式センサの個数および場所は、所望の分解能に従い設定され得る。例えば、各センサ帯片式センサ間の距離は、1ミリメートル、5ミリメートル、1センチメートル、2センチメートルなどとされ得る。所望の分解能に従い、更に小さなもしくは更に大きな距離が使用され得る。幾つかの実施形態において、各センサ帯片式センサ間の距離は一貫しなくても良い(例えば、通常的な患者眼高において各センサ帯片式センサ間には更に小さな距離が使用され得ると共に、通常的な患者眼高の範囲外である各センサ帯片式センサに対しては更に大きな距離が使用され得る)。
【００１５】
図６は、センサ帯片207を用いて垂直高を入力する実施形態のフローチャートを示している。該フローチャート中に与えられた各要素は、例示的であるにすぎない。与えられた種々の要素は省略され得、付加的な要素が加えられ得、且つ／又は、種々の要素は、以下に与えられたのとは異なる様に実施され得る。
【００１６】
601において、ユーザは手術用コンソール107に対し、PEL103に対応する垂直高を入力しようとしていることを知らせ得る。幾つかの実施形態において、ユーザは、手術用コンソールのタッチスクリーン上のグラフィカル・ユーザ・インタフェース(GUI)117上に呈示された(アイコンの如き)視覚的選択物を押圧することにより垂直高を入力するという選択肢を選択しても良い。他の選択メカニズムも企図される(キーボード、コンピュータ・マウスなど)。幾つかの実施形態においては、新たな垂直高が表示される毎に上記アイコンが選択される必要があり得る(すなわち、垂直高が受信された後において、または、上記アイコンが選択されてから所定の時間(例えば10秒)が経過した後において、手術用コンソール107は更なるセンサ帯片入力の考慮を停止することで、偶発的な接触に起因する垂直高の変化を阻止し得る)。幾つかの実施形態において、ユーザは、自身が距離を入力する前に、自身が垂直高を表していることを知らせる必要がないこともある(例えば、手術用コンソール107は、センサ帯片207からの新たな接触入力を随時に受け入れ得る)。
【００１７】
603において、ユーザは、患者の眼球123と略々同一高さである垂直高にてセンサ帯片207に接触し得る。幾つかの実施形態において、ユーザは、センサ帯片207を軽打するか、または、自身の指(または、例えば、スタイラスもしくは機械的スライダ)をセンサ帯片207に沿い、(手術台201上の患者を注視しているユーザ自身により視覚的に決定される如き)垂直高まで摺動し得る。幾つかの実施形態において手術用コンソール107は、ユーザが自身の指を先ず複数のセンサ帯片式センサに沿い摺動させたときにおいてのみ、新たな垂直高を受け入れることで、センサ帯片207に対する偶発的な接触に起因して垂直箇所が変更されることを阻止し得る。他の入力表示も企図される(例えばユーザは、入力が手術用コンソール107により是認されるために、垂直高に対応するセンサ帯片式センサを二回にわたり軽打することが必要とされても良い)。
【００１８】
605において、手術用コンソール107は、受信したセンサ帯片入力の視覚的表示を提供し得る。例えば、手術用コンソール107は、接触されたセンサ帯片式センサ(または、ユーザが自身の指を上記センサ帯片に沿い摺動するなら、最後に接触されたセンサ帯片式センサ)に対応するLED203を点灯するか、または、(レーザなどの)水平ラインを患者109に向けて投射し得る。他の視覚的表示器も企図される。
【００１９】
607において、手術用コンソール107は上記センサ帯片入力を使用してPEL103を決定し得る。例えば、センサ帯片式センサの各識別番号と、各センサ帯片式センサと吸引検知器105との間の相対的垂直高とを備えたテーブル1005がアクセスされることで、接触を検出しているセンサと、吸引検知器105との間の垂直高が決定され得る。別の例として、各センサ帯片式センサに対応する(センサ帯片式センサと吸引検知器105との間の)各垂直高は、必ずしもテーブル形態においてではなく、一対一の相関にて記憶され得る(例えば、各センサ帯片式センサにより記憶され得る)。幾つかの実施形態においては、(例えば、複数のコンソールコンポーネントに対する)複数のPELが決定され得る。例えば、個別的な各センサ帯片式センサと、潅流ボトル、潅流検知器、吸引検知器などの如きコンポーネントとに対する垂直高を備えたテーブルが使用されることで、単一のセンサ帯片入力に基づき、他のシステムコンポーネントに対する夫々のPELを決定しても良い。
【００２０】
609において、決定された上記垂直高は、(例えば潅流および吸引の圧力を決定するなどの)システム動作の間において上記PELとして使用され得る。例えば、上記PELは吸引検知器105からの入力と共に使用されることで、患者の眼球123における相対吸引圧力を決定し得る。別の例として、(潅流ボトルに対する)PELが使用されることで、患者の眼球123における潅流圧力を決定し得る。夫々の吸引圧力および／または潅流圧力は、吸引ポンプ速度を制御(して、吸引圧力を増大／減少して所望範囲内と)すべく、または、潅流ボトルを上昇／下降(して、潅流圧力を増大／減少して所望範囲内と)すべく使用され得る。他のPELの用法も可能である。
【００２１】
幾つかの実施形態においては、図７に見られる如く、上記手術用コンソールは(例えばプロセッサ1001などの)一つ以上のプロセッサを含み得る。プロセッサ1001は、単一の処理デバイスまたは複数の処理デバイスを含み得る。斯かる処理デバイスは、マイクロプロセッサ、(マイクロコントローラとされ得る)コントローラ、デジタル信号プロセッサ、マイクロコンピュータ、中央処理ユニット、フィールド・プログラマブル・ゲート・アレイ、プログラマブルな論理デバイス、状態マシン、論理回路機構、制御回路機構、アナログ回路機構、デジタル回路機構、および／または、動作命令に基づいて(アナログおよび／またはデジタル)信号を操作する任意のデバイスであり得る。プロセッサ1001に対して連結された、および／または、それに対して組み込まれたメモリ1003は、単一のメモリデバイスもしくは複数のメモリデバイスとされ得る。斯かるメモリデバイスは、読出専用メモリ、ランダム・アクセス・メモリ、揮発性メモリ、不揮発メモリ、スタティック・メモリ、ダイナミック・メモリ、フラッシュ・メモリ、キャッシュ・メモリ、および／または、デジタル情報を記憶する任意のデバイスとされ得る。プロセッサ1001がその機能の内の一つ以上を、状態マシン、アナログ回路機構、デジタル回路機構、および／または、論理回路機構により実現するとき、対応する動作命令を記憶しているメモリ1003は、上記状態マシン、アナログ回路機構、デジタル回路機構、および／または、論理回路機構を構成する回路機構内に組み込まれ得るか、または、その外部とされ得ることを銘記されたい。各図に関して図示かつ記述された要素の内の少なくとも幾つかに対応する動作命令を、メモリ1003は記憶し、且つ、プロセッサ1001は実行し得る。例えば、プロセッサ1001は上記センサ帯片式センサからの(例えばデジタル値として伝達される)接触入力を処理し、吸引圧力検知器105により測定された圧力と共に使用されるPEL103を決定し得る。
【００２２】
当業者によれば、提供された各実施形態に対して種々の改変が為され得よう。また当業者であれば、本明細書を考慮し且つ本明細書中に開示された本発明を実施することにより、本発明の他の実施形態は明らかであろう。本明細書および各実施形態は例示的にすぎないと考慮されると共に、本発明の真の有効範囲および精神は以下の各請求項およびその均等物により表されることが意図される。
【図１】
2013523347.tif 000003
【図２ａ】
2013523347.tif 000004
【図２ｂ】
2013523347.tif 000005
【図３】
2013523347.tif 000006
【図４ａ】
2013523347.tif 000007
【図４ｂ】
2013523347.tif 000008
【図５】
2013523347.tif 000009
【図６】
2013523347.tif 000010
【図７】
2013523347.tif 000011
【国際調査報告】
2013523347.tif 000012